(57)【要約】【課題】精度の高いフレーム割り込みを行うことができ、特にコードレス電話装置の子機においては、親機と通信を行っていなくても確実に音声認識処理を行うことができ、また音声認識処理の周期を微調整できる電話装置を提供することを目的とする。【解決手段】アナログ入力音声信号を第１の所定周期のパルスに基づいてサンプリングしてデジタルの音声データを出力するコーデック部８と、コーデック部８からの音声データをリアルタイムでフォーマット化音声データに変換するＤＳＰ１１と、フォーマット化音声データとメモリに予め録音された音声データとを比較して音声認識処理を行うＣＰＵ６とを有し、ＤＳＰ１１は第１の所定周期のパルスを入力してカウントすることにより第２の所定周期のパルスを生成するカウンタ１２を有し、ＣＰＵ６はＤＳＰ１１から第２の所定周期のパルスを入力して第２の所定周期で音声認識処理を行う。【選択図】図１
2005159815.tif 000002
【特許請求の範囲】
【請求項１】
第１の所定周期のパルスを発生すると共にアナログの入力音声信号を前記第１の所定周期のパルスに基づいてサンプリングしてデジタルの音声データを出力するコーデック部と、前記コーデック部から出力された音声データをリアルタイムで音声比較用フォーマットの音声データに変換するＤＳＰと、予め録音された音声データを記憶するメモリと、前記音声比較用フォーマットの音声データと前記予め録音された音声データとを比較して音声認識処理を行うＣＰＵとを有する電話装置であって、
前記ＤＳＰは前記第１の所定周期のパルスを入力してカウントすることにより第２の所定周期のパルスを生成するカウンタを有し、前記ＣＰＵは前記ＤＳＰから前記第２の所定周期のパルスを入力して前記第２の所定周期で前記音声認識処理を行うことを特徴とする電話装置。
【請求項２】
前記カウンタはカウント数を調整して前記第２の所定周期を制御することができることを特徴とする請求項１に記載の電話装置。
【請求項３】
前記第１の所定周期は１２５マイクロ秒で、前記カウンタはカウント数を調整して第２の所定周期を５ミリ秒＋α（αはゼロを含む正負の実数）に設定することが可能であることを特徴とする請求項２に記載の電話装置。
【請求項４】
前記子機はＤＥＣＴ子機であることを特徴とする請求項１乃至３のいずれか１に記載の電話装置。
【発明の詳細な説明】
【技術分野】
【０００１】
本発明は、電話装置に関するものである。
【背景技術】
【０００２】
図３は、電話装置であって従来のコードレス電話装置の子機を示すブロック図であり、従来のＤＥＣＴ（Ｄｉｇｉｔａｌ  Ｅｍｈａｎｃｅｄ  Ｃｏｒｄｌｅｓｓ  Ｔｅｌｅｐｈｏｎｅ）子機を示す。
【０００３】
図３において、１は親機と送受信を行うためのアンテナ、２は送信と受信とを切り替える共用部、３はアンテナ１からの電波信号を受信して受信音声データを出力する受信部、４は送信音声信号を共用部２を介してアンテナ１に送出する送信部、５は送受信のタイミングを生成するＢＭＣ（Ｂｕｒｓｔ  Ｍｏｄｅ  Ｃｏｎｔｒｏｌｌｅｒ）部、６は全体を制御するＣＰＵ、６ａは文字や図形を表示する表示部、７はＣＰＵ６からの受信音声データやＣＰＵ６に出力する送信音声データを処理するＤＳＰ（Ｄｉｇｉｔａｌ  Ｓｉｇｎａｌ  Ｐｒｏｃｅｓｓｏｒ、デジタル・シグナル・プロセッサ）、８はＤＳＰ７からのデジタルの音声データをアナログの音声信号に変換してスピーカ９に出力すると共にマイク１０からのアナログの音声信号をデジタルの音声データに変換してＤＳＰ７に出力するコーデック（ＣＯＤＥＣ）部である。
【０００４】
このように構成されたコードレス電話装置の子機について、本発明に関係する動作を図４（ａ）、（ｂ）を用いて説明する。図４（ａ）はＣＰＵ６の音声認識処理期間を示すタイミング図、図４（ｂ）はＢＭＣ５の送信処理（ＴＸ）と受信処理（ＲＸ）を示すタイミング図である。
【０００５】
図３において、コーデック部８は、マイク１０から入力されたアナログの音声信号をコーデック部８で発生する所定周期（例えば１２５マイクロ秒の周期）にてサンプリングし、デジタルの音声データに変換する。ＤＳＰ７は、コーデック部８からの音声データをリアルタイムで音声比較用フォーマットの音声データ（以下、「フォーマット化音声データ」という）に変換し、ＣＰＵ６に出力する。ＣＰＵ６は、ＤＳＰ７からのフォーマット化音声データを予め録音されメモリ（図示せず）に記憶された音声データと比較する。例えばマイク１０から入力された音声信号が“松下一郎”であれば、ＣＰＵ６は、メモリに記憶された音声データとマイク１０から入力された音声データの“松下一郎”とを比較し、一致した場合には“松下一郎”に対応する電話番号やメール番号などを情報として取得し、この番号により親機を通して発信を行う。
【０００６】
この場合、ＣＰＵ６における比較の周期（つまり音声認識処理の周期）は、図４（ｂ）に示すＢＭＣ５のＤＥＣＴプロトコル処理における送信タイミングおよび受信タイミングにより定まる。すなわち、子機は、親機と通信をおこなっている場合、親機から同期信号を受信し、この同期信号に基づいてＢＭＣ５は、図４（ｂ）に示すように送信期間ＴＸと受信期間ＲＸを設定し、受信期間の終了時ｔ１、ｔ３や送信期間の終了時ｔ２に、受信終了信号や送信終了信号をフレーム割込み信号としてＣＰＵ６に出力し、このフレーム割込み信号に基づいてＣＰＵ６は音声認識処理を介し、Ｔ１の期間、音声認識処理を行う。期間Ｔ１は約５ｍｓ（ミリ秒）である。
【０００７】
従来のＤＥＣＴ子機はこのような動作を行うが、音声認識装置としてはこの他に（特許文献１）に、ＤＳＰを使用した車両用音声認識装置が記載されている。
【特許文献１】特開平１１−３３８４９０号公報
【発明の開示】
【発明が解決しようとする課題】
【０００８】
このように、従来のコードレス電話装置の子機においては、親機からの同期信号に基づいてＣＰＵ６における音声認識処理を行っており、子機が親機と通信していない場合にはＢＭＣ５から不定期のフレーム割込みが生じ、音声認識が不可能になるという問題点を有していた。また、親機からの同期信号に基づくために、音声認識処理の周期が固定され、微調整ができないという問題点を有していた。なお、コードレス電話装置に限らず音声認識動作を行う電話装置においてもＯＳのタイマ処理を用いて音声認識の周期を生成することが考えられるが、この場合はソフト内部の処理状況に応じてタイマ処理自体が待たされて、フレーム割込みに遅れが生じ、その結果、音声データの連続性が損なわれて音声に歪みが生じてしまい、音声認識が不可能になる場合があるという問題点を有していた。
【０００９】
この電話装置では、精度の高いフレーム割り込みを行うことができ、特にコードレス電話装置の子機においては、親機と通信を行っていなくても確実に音声認識処理を行うことができ、また、音声認識処理の周期を微調整することができることが要求されている。
【００１０】
本発明は、この要求を満たすため、精度の高いフレーム割り込みを行うことができ、特にコードレス電話装置の子機においては、親機と通信を行っていなくても確実に音声認識処理を行うことができ、また、音声認識処理の周期を微調整することができる電話装置を提供することを目的とする。
【課題を解決するための手段】
【００１１】
この課題を解決するために本発明の電話装置は、第１の所定周期のパルスを発生すると共にアナログの入力音声信号を第１の所定周期のパルスに基づいてサンプリングしてデジタルの音声データを出力するコーデック部と、コーデック部から出力された音声データをリアルタイムで音声比較用フォーマットの音声データに変換するＤＳＰと、予め録音された音声データを記憶するメモリと、音声比較用フォーマットの音声データと予め録音された音声データとを比較して音声認識処理を行うＣＰＵとを有する電話装置であって、ＤＳＰは第１の所定周期のパルスを入力してカウントすることにより第２の所定周期のパルスを生成するカウンタを有し、ＣＰＵはＤＳＰから第２の所定周期のパルスを入力して第２の所定周期で音声認識処理を行う構成を備えている。
【００１２】
これにより、親機と通信を行っていなくても確実に音声認識処理を行うことができ、また音声認識処理の周期を微調整することができる電話装置が得られる。
【発明の効果】
【００１３】
本発明の電話装置は、第１の所定周期のパルスを発生すると共にアナログの入力音声信号を第１の所定周期のパルスに基づいてサンプリングしてデジタルの音声データを出力するコーデック部と、コーデック部から出力された音声データをリアルタイムで音声比較用フォーマットの音声データに変換するＤＳＰと、予め録音された音声データを記憶するメモリと、音声比較用フォーマットの音声データと予め録音された音声データとを比較して音声認識処理を行うＣＰＵとを有する電話装置であって、ＤＳＰは第１の所定周期のパルスを入力してカウントすることにより第２の所定周期のパルスを生成するカウンタを有し、ＣＰＵはＤＳＰから第２の所定周期のパルスを入力して第２の所定周期で音声認識処理を行うことにより、ＤＳＰはコーデック部で発生した第１の所定周期のパルスをカウントして第２の所定周期のパルスを生成してＣＰＵに音声認識処理の割込みをかけることができるので、精度の高いフレーム割り込みで音声認識処理を行うことができ、特にコードレス電話装置の子機においては親機と通信を行っていなくても高い精度で確実に音声認識処理を行うことができ、また音声認識処理の周期を微調整することができるという有利な効
果が得られる。
【００１４】
さらに、カウンタはカウント数を調整して第２の所定周期を制御することができることにより、容易に音声認識処理の割込み周期を調整して音声認識処理の周期を微調整することができるという有利な効果が得られる。
【００１５】
さらに、第１の所定周期は１２５マイクロ秒で、カウンタはカウント数を調整して第２の所定周期を５ミリ秒＋α（αはゼロを含む正負の実数）に設定することが可能であることにより、例えばカウンタを４０進数から４２進数に変えることにより、第２の所定周期を５ミリ秒から５．２５ミリ秒に変えることができ、音声認識処理の周期を容易に微調整することができるという有利な効果が得られる。
【００１６】
さらに、子機はＤＥＣＴ子機であることにより、ヨーロッパや東南アジアで使用される子機にも適用することができるという有利な効果が得られる。
【発明を実施するための最良の形態】
【００１７】
本発明は、精度の高いフレーム割り込みで音声認識処理を行うことができ、特にコードレス電話装置の子機においては親機と通信を行っていなくても高い精度で確実に音声認識処理を行うことができ、また音声認識処理の周期を微調整するという目的を、コーデック部で発生する第１の所定周期のパルスを利用して第２の所定周期のパルスを生成し、この第２の所定周期のパルスを使用して音声認識処理の割込み信号を生成することにより実現した。
【００１８】
上記課題を解決するためになされた第１の発明は、第１の所定周期のパルスを発生すると共にアナログの入力音声信号を第１の所定周期のパルスに基づいてサンプリングしてデジタルの音声データを出力するコーデック部と、コーデック部から出力された音声データをリアルタイムで音声比較用フォーマットの音声データに変換するＤＳＰと、予め録音された音声データを記憶するメモリと、音声比較用フォーマットの音声データと予め録音された音声データとを比較して音声認識処理を行うＣＰＵとを有する電話装置であって、ＤＳＰは第１の所定周期のパルスを入力してカウントすることにより第２の所定周期のパルスを生成するカウンタを有し、ＣＰＵはＤＳＰから第２の所定周期のパルスを入力して第２の所定周期で音声認識処理を行うこととしたものであり、ＤＳＰはコーデック部で発生した第１の所定周期のパルスをカウントして第２の所定周期のパルスを生成してＣＰＵに音声認識処理の割込みをかけることができるので、精度の高いフレーム割り込みで音声認識処理を行うことができ、特にコードレス電話装置の子機においては親機と通信を行っていなくても高い精度で確実に音声認識処理を行うことができ、また音声認識処理の周期を微調整することができるという作用・効果を有する。
【００１９】
上記課題を解決するためになされた第２の発明は、カウンタはカウント数を調整して第２の所定周期を制御することができることとしたものであり、容易に音声認識処理の割込み周期を調整して音声認識処理の周期を微調整することができるという作用・効果を有する。
【００２０】
上記課題を解決するためになされた第３の発明は、第１の所定周期は１２５マイクロ秒で、カウンタはカウント数を調整して第２の所定周期を５ミリ秒＋α（αはゼロを含む正負の実数）に設定することが可能であることとしたものであり、例えばカウンタを４０進数から４２進数に変えることにより、第２の所定周期を５ミリ秒から５．２５ミリ秒に変えることができ、音声認識処理の周期を容易に微調整することができるという作用・効果を有する。
【００２１】
上記課題を解決するためになされた第４の発明は、子機はＤＥＣＴ子機であることとしたものであり、ヨーロッパや東南アジアで使用される子機にも適用することができるという作用・効果を有する。
【００２２】
（実施の形態１）
図１は、本発明の実施の形態１による電話装置であってコードレス電話装置の子機を示すブロック図であり、ＤＥＣＴ子機を示す。
【００２３】
図１において、アンテナ１、共用部２、受信部３、送信部４、ＢＭＣ５、ＣＰＵ６、表示部６ａ、コーデック部８、スピーカ９、マイク１０は図３と同様のものなので、同一符号を付し、説明は省略する。１１はＣＰＵ６からの受信音声データやＣＰＵ６に出力する送信音声データを処理すると共に入力したクロックパルスのカウントを行うカウンタ１２を有するＤＳＰである。
【００２４】
このように構成されたコードレス電話装置の子機について、図２（ａ）、（ｂ）を用いて説明する。図２（ａ）はＣＰＵ６の音声認識処理期間を示すタイミング図、図２（ｂ）はコーデック部８で発生する１２５μｓ（マイクロ秒）周期のサンプリングパルスを示すタイミング図である。
【００２５】
図２において、コーデック部８は、マイク１０から入力されたアナログの音声信号をコーデック部８で発生する第１の所定周期（例えば１２５マイクロ秒の周期）にてサンプリングし、デジタルの音声データに変換する。ＤＳＰ１１は、コーデック部８からの音声データをリアルタイムでフォーマット化音声データに変換し、ＣＰＵ６に出力する。ＣＰＵ６は、ＤＳＰ１１からのフォーマット化音声データを予め録音されメモリ（図示せず）に記憶された音声データと比較する。例えばマイク１０から入力された音声信号が“松下一郎”であれば、ＣＰＵ６は、メモリに記憶された音声データとマイク１０から入力された音声データの“松下一郎”とを比較し、一致した場合には“松下一郎”に対応する電話番号やメール番号などを情報として取得し、この番号により親機を通して発信を行う。
【００２６】
この場合、ＣＰＵ６における比較の周期（つまり音声認識処理の周期）は、ＤＳＰ１１のカウンタ１２から出力される第２の所定周期のパルスにより定まる。ＤＳＰ１１のカウンタ１２には、図２（ｂ）に示すコーデック部８で発生した第１の所定周期のサンプリング信号が入力され、分周される。例えばカウンタ１２が４０進数のカウンタであれば、その最終段の出力パルスは５ミリ秒（１２５μｓ×４０＝５ミリ秒）周期のパルスとなる。図２（ｂ）は、時刻ｔ１・ｔ２間の４０個のサンプリング信号で５ミリ秒周期の割込みが発生する場合を示す。このように分周された第２の所定周期のパルスによりＣＰＵ６に割込み処理をかけることにより、ＣＰＵ６における音声認識処理の周期が定まり、上述した場合は５ミリ秒の周期となる。上述した場合はカウンタ１２を４０進数のカウンタとしたが、カウンタは段数を増やすことにより又フィードバックをかけることにより容易に進数を変更することができる。たとえばカウンタ１２を４２進数のカウンタとした場合には、その最終段の出力パルスは５．２５ミリ秒（１２５μｓ×４２＝５．２５ミリ秒）周期のパルスとなる。
【００２７】
ここで、第１の所定周期は非常に精度が高く、また処理の優先度も高い。従って、第２の所定周期を第１の所定周期を用いて算出することにより、高い精度で音声認識の周期処理を実現することができる。
【００２８】
以上のように本実施の形態によれば、第１の所定周期のパルスを発生すると共にアナログの入力音声信号を第１の所定周期のパルスに基づいてサンプリングしてデジタルの音声データを出力するコーデック部８と、コーデック部８から出力された音声データをリアル
タイムで音声比較用フォーマットの音声データに変換するＤＳＰ１１と、予め録音された音声データを記憶するメモリと、音声比較用フォーマットの音声データと予め録音された音声データとを比較して音声認識処理を行うＣＰＵ６とを有するコードレス電話装置の子機であって、ＤＳＰ１１は第１の所定周期のパルスを入力してカウントすることにより第２の所定周期のパルスを生成するカウンタ１２を有し、ＣＰＵ６はＤＳＰ１１から第２の所定周期のパルスを入力して第２の所定周期で音声認識処理を行うことにより、ＤＳＰ１１はコーデック部８で発生した第１の所定周期のパルスをカウントして第２の所定周期のパルスを生成してＣＰＵ６に音声認識処理の割込みをかけることができるので、精度の高いフレーム割り込みで音声認識処理を行うことができ、特にコードレス電話装置の子機においては親機と通信を行っていなくても高い精度で確実に音声認識処理を行うことができ、また音声認識処理の周期を微調整することができる。
【００２９】
さらに、カウンタ１２はカウント数を調整して第２の所定周期を制御することができることにより、容易に音声認識処理の割込み周期を調整して音声認識処理の周期を微調整することができる。
【００３０】
さらに、第１の所定周期は１２５マイクロ秒で、カウンタ１２はカウント数を調整して第２の所定周期を５ミリ秒＋α（αはゼロを含む正負の実数）に設定することが可能であることにより、例えばカウンタを４０進数から４２進数に変えることにより、第２の所定周期を５ミリ秒から５．２５ミリ秒に変えることができ、音声認識処理の周期を容易に微調整することができる。
【００３１】
さらに、子機はＤＥＣＴ子機であることにより、ヨーロッパや東南アジアで使用される子機にも適用することができる。
【産業上の利用可能性】
【００３２】
本発明は、電話装置に関し、精度の高いフレーム割り込みで音声認識処理を行うことができ、特にコードレス電話装置の子機においては親機と通信を行っていなくても高い精度で確実に音声認識処理を行うことができ、また音声認識処理の周期を微調整することができる。
【図面の簡単な説明】
【００３３】
【図１】本発明の実施の形態１による電話装置であってコードレス電話装置の子機を示すブロック図
【図２】（ａ）ＣＰＵの音声認識処理期間を示すタイミング図、（ｂ）コーデック部で発生する１２５μｓ（マイクロ秒）周期のサンプリングパルスを示すタイミング図
【図３】電話装置であって従来のコードレス電話装置の子機を示すブロック図
【図４】（ａ）ＣＰＵの音声認識処理期間を示すタイミング図、（ｂ）ＢＭＣの送信処理（ＴＸ）と受信処理（ＲＸ）を示すタイミング図
【符号の説明】
【００３４】
１    アンテナ
２    共用部
３    受信部
４    送信部
５    ＢＭＣ
６    ＣＰＵ
６ａ    表示部
８    コーデック部
９    スピーカ
１０    マイク
１１    ＤＳＰ
１２    カウンタ
【図１】
2005159815.tif 000003
【図２】
2005159815.tif 000004
【図３】
2005159815.tif 000005
【図４】
2005159815.tif 000006